(57)【特許請求の範囲】
【請求項１】
携帯端末装置と、問合せサーバ装置と、画像認識サーバ装置と、から構成される情報提供システムにおいて、
前記携帯端末装置は、
対象物を撮影するカメラと、
送信先アドレスと送信元アドレスを有する電子メールにカメラが撮影した対象物の撮影画像を添付させて、この電子メールを問合せサーバ装置に送信する電子メール送信手段と、
問合せサーバ装置により返信された電子メールを受信する電子メール受信手段と、
を備える端末装置であって、
前記問合せサーバ装置は、
複数の情報提供メールアドレスのうちのいずれか一つと、画像識別情報とを対応付けたチェックデータを記憶する記憶部と、
携帯端末装置が送信した前記情報提供メールアドレスのいずれか一つを送信先電子メールアドレスとして指定した電子メールを受信して、この電子メールに添付された撮影画像を含むデータベース検索クエリを構成して、これを画像認識サーバ装置に発行して、電子メールの送信先アドレスと送信元アドレスを保持する照合要求手段と、
画像認識サーバ装置が返信した照合結果を受信する照合結果受信手段と、
照合結果受信手段が受信した照合結果に含まれる画像識別情報を用いて記憶部が記憶するチェックデータを参照して対応付けられた情報提供メールアドレスを取得して、この情報提供メールアドレスと、照合要求手段が保持した送信先アドレスとを比較して、両者が一致するか否かを判定する判定手段と、
判定手段の比較結果が一致すれば、照合結果受信手段が受信した照合結果からＵＲＬ（Ｕｎｉｆｏｒｍ  Ｒｅｓｏｕｒｃｅ  Ｌｏｃａｔｏｒの略）を取り出して、これを含む情報提供メールを作成して、あるいは、判定手段の比較結果が不一致であれば、照合失敗情報を含んだ電子メールを作成して、作成した電子メールを照合要求手段が保持した送信元アドレスに返信する電子メール返信手段と、
を備えるサーバ装置であって、
前記画像認識サーバ装置は、
画像特徴量情報と画像識別情報とＵＲＬを関連付けた特徴量データベースを記憶する記憶部と、
問合せサーバ装置が発行したデータベース検索クエリを受け付けて、これを用いて、記憶部が記憶する特徴量データベースを検索して、画像識別情報とＵＲＬを抽出するＵＲＬ取得手段と、
ＵＲＬ取得手段が抽出した画像識別情報とＵＲＬとを含む照合結果を作成してこれを問合せサーバ装置に返信する照合結果返信手段と、
を備えるサーバ装置である、
ことを特徴とする情報提供システム。
【請求項２】
複数の情報提供メールアドレスのうちのいずれか一つと、画像識別情報とを対応付けたチェックデータを記憶する記憶部と、
前記情報提供メールアドレスのいずれか一つを送信先電子メールアドレスとして指定した電子メールを受信して、この電子メールに添付された撮影画像を含むデータベース検索クエリを構成して、これを画像認識サーバ装置に発行して、電子メールの送信先アドレスと送信元アドレスを保持する照合要求手段と、
画像認識サーバ装置が返信した照合結果を受信する照合結果受信手段と、
照合結果受信手段が受信した照合結果に含まれる画像識別情報を用いて記憶部が記憶するチェックデータを参照して対応付けられた情報提供メールアドレスを取得して、この情報提供メールアドレスと、照合要求手段が保持した送信先アドレスとを比較して、両者が一致するか否かを判定する判定手段と、
判定手段の比較結果が一致すれば、照合結果受信手段が受信した照合結果からＵＲＬ（Ｕｎｉｆｏｒｍ  Ｒｅｓｏｕｒｃｅ  Ｌｏｃａｔｏｒの略）を取り出して、これを含む情報提供メールを作成して、あるいは、判定手段の比較結果が不一致であれば、照合失敗情報を含んだ電子メールを作成して、作成した電子メールを照合要求手段が保持した送信元アドレスに返信する電子メール返信手段と、
を備えることを特徴とする問合せサーバ装置。
【請求項３】
画像特徴情報と情報提供メールアドレスと画像識別情報とを対応付けた特徴量データベース、および、複数の情報提供メールアドレスのうちのいずれか一つと、画像識別情報とを対応付けたチェックデータ、を用いる情報提供方法であって、
（１）問合せサーバ装置は、前記情報提供メールアドレスのいずれか一つを送信先電子メールアドレスとして指定した電子メールを受信して、この電子メールに添付された撮影画像を含むデータベース検索クエリを構成して、これを画像認識サーバ装置に発行して、電子メールの送信先アドレスと送信元アドレスを保持する照合要求ステップと、
（２）画像認識サーバ装置は、問合せサーバ装置が発行したデータベース検索クエリを受け付けて、これを用いて、記憶部が記憶する特徴量データベースを検索して、画像識別情報とＵＲＬを抽出するＵＲＬ抽出ステップと、
（３）画像認識サーバ装置は、抽出した画像識別情報とＵＲＬとを含む照合結果を作成してこれを問合せサーバ装置に返信する比較結果返信ステップと、
（４）問合せサーバ装置は、画像認識サーバ装置が返信した照合結果を受信して、これに含まれる画像識別情報を用いてチェックデータを参照して対応付けられた情報提供メールアドレスを取得して、この情報提供メールアドレスと、照合要求ステップにて保持した送信先アドレスとを比較して、両者が一致するか否かを判定する比較判定ステップと、
（５）問合せサーバ装置は、比較結果が一致すれば、比較判定ステップにて受信した照合結果に含まれるＵＲＬを含んだ電子メールを作成して、比較結果が不一致であれば、照合失敗情報を含んだ電子メールを作成して、作成した電子メールを照合要求ステップにて保持した送信元アドレスに返信する情報提供メール返信ステップと、
を含んだ手順でなされることを特徴とする情報提供方法。
【請求項４】
コンピュータに組込むことによって、コンピュータを請求項２に記載の問合せサーバ装置として動作させるコンピュータプログラム。
【発明の詳細な説明】
【技術分野】
【０００１】
本発明は、画像を用いて検索した情報（たとえば、キャンペーン情報）を、携帯端末装置（たとえば、携帯電話）に提供する情報提供システム、問合せサーバ装置、情報提供方法、コンピュータプログラム、に関するものである。
【０００２】
従来から、携帯電話用ＷＥＢサイトへ手軽にアクセスさせる方法として、画像認識技術を利用した誘導サービスがある。この誘導サービスでは、携帯電話で撮影した画像に応じて、ＷＥＢサイトで提供するサービスの内容を変えることができる。
本発明は特に、キャンペーン対象物の撮影画像を用いてキャンペーンへの参加を募るときに有用である。
【背景技術】
【０００３】
携帯電話を用いる画像認識技術には、たとえば次のようなものがある。
《１．二次元コード》
二次元コードを携帯電話で撮影して、埋め込まれた情報を取り出してその情報を利用する技術がある。
たとえば、特許文献１では、求人情報誌の二次元コードを、携帯電話で撮影して、ＵＲＬを復号して、インターネットの該当サイトに接続して、求人情報や求職情報を取得させる技術が開示されている。
《２．対象物》
主催者が用意した対象物を撮影した画像を携帯電話で撮影して、その画像を画像認識して認識結果を利用する技術がある。
たとえば、非特許文献１では、携帯電話の利用者が、携帯電話に設定された専用アプリケーションプログラムを使って画像をカメラ撮影すると、専用アプリケーションプログラムによって接続された画像マッチングサーバから撮影画像にマッチングした結果を受け取り、これを、携帯電話に表示させる技術が開示されている。
【特許文献１】特開２００６−３９７８５号公報（３〜４ページ、図１）
【非特許文献１】オリンパス株式会社新事業企画部、“Sync★R（シンクる）”、サービス概要−特長（Sync★Rの概要）、オリンパス株式会社、[online]、[平成２０年３月１０日検索]、インターネット＜http://gwmj.jp/＞
【発明の開示】
【発明が解決しようとする課題】
【０００４】
ところで、特許文献１の技術では、対象物に二次元コードを印刷するために、美観が損なわれるという不具合があった。
また、非特許文献１の技術では、撮影画像から特徴データを求めて画像認識ＷＥＢサイトに送信するための専用アプリケーションプログラムを、事前に、携帯電話に登録させていた。そのために、プログラムのダウンロードやインストール作業の手間を要するという欠点があった。
また、非特許文献１の技術では、複数の異なる画像認識サービスが画像認識ＷＥＢサイトを共有しているので、撮影画像が異なる画像認識サービスの画像と誤認識されると、全く関係の無いサービスの情報を携帯電話に提供してしまうという問題点があった。
【０００５】
本発明はこのような従来技術を考慮してなされたものであって、本発明の課題は、携帯端末装置をそのまま使用して、撮影した対象物の画像が誤認識されても誤った情報を提供することを防止して情報提供する情報提供システム、問合せサーバ装置、情報提供方法、コンピュータプログラムを提供することである。
【課題を解決するための手段】
【０００６】
本発明は、以下のような解決手段により、前記課題を解決する。すなわち、請求項１の発明は、携帯端末装置と、問合せサーバ装置と、画像認識サーバ装置と、から構成される情報提供システムにおいて、
前記携帯端末装置は、
対象物を撮影するカメラと、
送信先アドレスと送信元アドレスを有する電子メールにカメラが撮影した対象物の撮影画像を添付させて、この電子メールを問合せサーバ装置に送信する電子メール送信手段と、
問合せサーバ装置により返信された電子メールを受信する電子メール受信手段と、
を備える端末装置であって、
前記問合せサーバ装置は、
複数の情報提供メールアドレスのうちのいずれか一つと、画像識別情報とを対応付けたチェックデータを記憶する記憶部と、
携帯端末装置が送信した前記情報提供メールアドレスのいずれか一つを送信先電子メールアドレスとして指定した電子メールを受信して、この電子メールに添付された撮影画像を含むデータベース検索クエリを構成して、これを画像認識サーバ装置に発行して、電子メールの送信先アドレスと送信元アドレスを保持する照合要求手段と、
画像認識サーバ装置が返信した照合結果を受信する照合結果受信手段と、
照合結果受信手段が受信した照合結果に含まれる画像識別情報を用いて記憶部が記憶するチェックデータを参照して対応付けられた情報提供メールアドレスを取得して、この情報提供メールアドレスと、照合要求手段が保持した送信先アドレスとを比較して、両者が一致するか否かを判定する判定手段と、
判定手段の比較結果が一致すれば、照合結果受信手段が受信した照合結果からＵＲＬ（Ｕｎｉｆｏｒｍ  Ｒｅｓｏｕｒｃｅ  Ｌｏｃａｔｏｒの略）を取り出して、これを含む情報提供メールを作成して、あるいは、判定手段の比較結果が不一致であれば、照合失敗情報を含んだ電子メールを作成して、作成した電子メールを照合要求手段が保持した送信元アドレスに返信する電子メール返信手段と、
を備えるサーバ装置であって、
前記画像認識サーバ装置は、
画像特徴量情報と画像識別情報とＵＲＬを関連付けた特徴量データベースを記憶する記憶部と、
問合せサーバ装置が発行したデータベース検索クエリを受け付けて、これを用いて、記憶部が記憶する特徴量データベースを検索して、画像識別情報とＵＲＬを抽出するＵＲＬ取得手段と、
ＵＲＬ取得手段が抽出した画像識別情報とＵＲＬとを含む照合結果を作成してこれを問合せサーバ装置に返信する照合結果返信手段と、
を備えるサーバ装置である、
ことを特徴とする情報提供システムである。
【０００７】
ここで、特別なプログラムのダウンロードやインストール作業をすることなく、既存のカメラ付携帯電話を用いて、対象物を撮影してメール送信することで、所望の正しい情報を入手することができる。
【０００８】
請求項２の発明は、複数の情報提供メールアドレスのうちのいずれか一つと、画像識別情報とを対応付けたチェックデータを記憶する記憶部と、前記情報提供メールアドレスのいずれか一つを送信先電子メールアドレスとして指定した電子メールを受信して、この電子メールに添付された撮影画像を含むデータベース検索クエリを構成して、これを画像認識サーバ装置に発行して、電子メールの送信先アドレスと送信元アドレスを保持する照合要求手段と、画像認識サーバ装置が返信した照合結果を受信する照合結果受信手段と、照合結果受信手段が受信した照合結果に含まれる画像識別情報を用いて記憶部が記憶するチェックデータを参照して対応付けられた情報提供メールアドレスを取得して、この情報提供メールアドレスと、照合要求手段が保持した送信先アドレスとを比較して、両者が一致するか否かを判定する判定手段と、判定手段の比較結果が一致すれば、照合結果受信手段が受信した照合結果からＵＲＬ（Ｕｎｉｆｏｒｍ  Ｒｅｓｏｕｒｃｅ  Ｌｏｃａｔｏｒの略）を取り出して、これを含む情報提供メールを作成して、あるいは、判定手段の比較結果が不一致であれば、照合失敗情報を含んだ電子メールを作成して、作成した電子メールを照合要求手段が保持した送信元アドレスに返信する電子メール返信手段と、を備えることを特徴とする問合せサーバ装置である。
【０００９】
請求項３の発明は、画像特徴情報と情報提供メールアドレスと画像識別情報とを対応付けた特徴量データベース、および、複数の情報提供メールアドレスのうちのいずれか一つと、画像識別情報とを対応付けたチェックデータ、を用いる情報提供方法であって、（１）問合せサーバ装置は、前記情報提供メールアドレスのいずれか一つを送信先電子メールアドレスとして指定した電子メールを受信して、この電子メールに添付された撮影画像を含むデータベース検索クエリを構成して、これを画像認識サーバ装置に発行して、電子メールの送信先アドレスと送信元アドレスを保持する照合要求ステップと、（２）画像認識サーバ装置は、問合せサーバ装置が発行したデータベース検索クエリを受け付けて、これを用いて、記憶部が記憶する特徴量データベースを検索して、画像識別情報とＵＲＬを抽出するＵＲＬ抽出ステップと、（３）画像認識サーバ装置は、抽出した画像識別情報とＵＲＬとを含む照合結果を作成してこれを問合せサーバ装置に返信する比較結果返信ステップと、（４）問合せサーバ装置は、画像認識サーバ装置が返信した照合結果を受信して、これに含まれる画像識別情報を用いてチェックデータを参照して対応付けられた情報提供メールアドレスを取得して、この情報提供メールアドレスと、照合要求ステップにて保持した送信先アドレスとを比較して、両者が一致するか否かを判定する比較判定ステップと、（５）問合せサーバ装置は、比較結果が一致すれば、比較判定ステップにて受信した照合結果に含まれるＵＲＬを含んだ電子メールを作成して、比較結果が不一致であれば、照合失敗情報を含んだ電子メールを作成して、作成した電子メールを照合要求ステップにて保持した送信元アドレスに返信する情報提供メール返信ステップと、を含んだ手順でなされることを特徴とする情報提供方法である。
【００１０】
請求項４の発明は、コンピュータに組込むことによって、コンピュータを請求項２に記載の発明に係る問合せサーバ装置として動作させるコンピュータプログラムである。
【発明の効果】
【００１２】
本願発明によれば、
（１）携帯電話が撮影する対象物は、携帯電話が撮影できるものであれば、制限はない。
（２）携帯電話で撮影した撮影画像を誤って画像認識しても、誤った情報を提供することを防止することができる。
従って、画像認識を誤っても、携帯電話を異なる画像認識サービスで提供されるＷＥＢサイトに誘導する恐れは無く、安心して誘導サービスを提供することができる。
【発明を実施するための最良の形態】
【００１３】
（実施例）
以下、図面等を参照しながら、本発明の実施の形態について、更に詳しく説明する。
【００１４】
図１は、本発明による情報提供システム１の概要を説明する図である。
情報提供システム１は、携帯端末装置１００と、メール・サーバ装置２００と、問合サーバ装置３００と、画像認識サーバ装置４００と、携帯ＷＥＢサーバ装置５００（＝ＷＥＢサイト）と、がネットワーク接続されて、構成される。
【００１５】
携帯端末装置１００は、たとえば、カメラ付き携帯電話である。携帯端末装置１００は、携帯ＷＥＢブラウザを備える。
【００１６】
メール・サーバ装置２００は、既存のメール・サーバプログラムを備えたサーバコンピュータである。
【００１７】
問合サーバ装置３００は、サーバコンピュータに、後述する専用プログラムを備えたコンピュータである。
【００１８】
画像認識サーバ装置４００は、既存の画像認識プログラムと既存のデータベース管理プログラムを備えたサーバコンピュータである。
画像認識サーバ装置４００は、たとえば、非特許文献1に記載のサーバ装置でよい。
【００１９】
携帯ＷＥＢサーバ装置５００は、既存のＷＥＢサーバプログラムを備えたサーバコンピュータである。
【００２０】
次に、キャンペーン情報を提供する場合を例にして処理の流れを説明する。
《１．撮影画像の送信》
携帯電話所有者は、携帯電話のカメラ機能を用いて対象物をカメラ撮影する（図１（１））。
携帯電話所有者は、撮影画像を添付した電子メールをキャンペーン事務局に送信すると、これをキャンペーン事務局用のメール・サーバ装置２００ａが保持する（同（２））。
《２．電子メールの受付》
問合サーバ装置３００は、メール・サーバ装置２００ａに、キャンペーン事務局宛の電子メールがあるか問合せて、存在すれば、これを取得する（同（３））。
問合サーバ装置３００は、電子メールに添付された画像を用いて照合リクエストを作成して、画像認識サーバ装置４００に送信する（同（４））。
【００２１】
《３．画像認識》
画像認識サーバ装置４００は、照合リクエストを受け付けて、添付された画像を画像認識して、認識された画像に対応付けられたキャンペーン情報（＝キャンペーン用ＷＥＢサイトのＵＲＬ）を返信する（同（５））。
なお、ＵＲＬとは、Ｕｎｉｆｏｒｍ  Ｒｅｓｏｕｒｃｅ  Ｌｏｃａｔｏｒの略である。
《４．認識結果の確認》
問合サーバ装置３００は、画像認識サーバ装置４００が返信したＵＲＬが該当するキャンペーンのＷＥＢサイトのＵＲＬであることを確認して、確認したＵＲＬを携帯電話に電子メールで返信する（同（６））。
《５．情報の提供》
問合サーバ装置３００は、確認したＵＲＬを携帯電話に電子メールで返信すると、これを携帯電話用のメール・サーバ装置２００ｂが保持する（同（７））。
【００２２】
《６．ＷＥＢサイトへのアクセス》
携帯電話１００は、携帯電話のメール・サーバ装置２００ｂに自分宛の電子メールがあるか問合せて、存在すれば、これを取得する（同（８））。
携帯電話は、メール・サーバ装置２００ｂから取得した返信メールのＵＲＬを用いてＷＥＢサイト５００へアクセスする（同（９））。
ＷＥＢサイト５００は、携帯電話１００からのＵＲＬのアクセスに応じて、携帯電話の携帯ＷＥＢブラウザで閲覧可能なＷＥＢページデータを提供する（同（１０））。
「ＷＥＢページ表示」携帯電話は、ＷＥＢサイト５００からのＷＥＢページデータを受信して、携帯ＷＥＢブラウザで表示する（同（１１））。
【００２３】
図２は、携帯端末装置１００の詳細な構成図である。
携帯端末装置１００は、ＣＰＵ１０１と、入力部１０２と、表示部１０３と、カメラ１０４と、無線通信部１０５と、電源部１０８と、記憶部１０９とアプリケーションプログラムとを備える。
【００２４】
ＣＰＵ１０１は、中央演算処理装置である。
表示部１０３は、ＬＣＤ（液晶表示デバイス）やＥＬ（有機エレクトロルミネッセンス）ディスプレーである。
入力部１０２は、ボタンキーやタッチペンやタッチパッドや表示部１０３を用いたソフトキーボードなどである。
カメラ１０４は、デジタルカメラである。
無線通信部１０５は、アンテナを有する。無線通信部１０５は、アンテナを介して、電話用無線電波を送受信する。無線通信部１０５は、基地局（図示せず）と無線通信する。基地局は、ゲートウエー（図示せず）を介してインターネットと接続する。
記憶部１０９は、半導体メモリや磁気メモリである。
記憶部１０９は、アプリケーションプログラムを記憶する。
【００２５】
このほかに、電子メール送信手段１１０と、電子メール受信手段１２０と、メール表示手段１３０と、携帯ＷＥＢブラウザ１４０と、を備える。これらの各手段は、それぞれのアプリケーションプログラムによって実現され、アプリケーションプログラムがＣＰＵ１０１に解釈・実行されることによって機能する。
【００２６】
電子メール送信手段１１０は、送信先アドレスと送信元アドレスが設定された電子メール(以下、携帯端末装置１００が作成して送信する電子メールを請求メールという）に、カメラが撮影した対象物の撮影画像を添付させて問合せサーバ装置に送信する。電子メール受信手段１２０は、問合せサーバ装置３００が返信した電子メールを受信する。
メール表示手段１３０は、受信した電子メールを表示部１０３に表示する。
【００２７】
携帯ＷＥＢブラウザ１４０は、入力部１０２から入力された指定情報により指定されたＵＲＬを用いて、ＷＥＢサイト５００へアクセスして、ＷＥＢページデータを取得して、これを表示部１０３に表示する。
【００２８】
図３は、請求メールに含まれるデータの説明図である。
図３の（ａ）は、請求メールに含まれるデータの属性を説明する図である。
請求メール１９１には、送信先アドレス１９１ａと送信元アドレス１９１ｂと添付画像データ１９１ｃとが含まれる。
送信先アドレス１９１ａは、請求メールの送付先の電子メールアドレスである。
送信元アドレス１９１ｂは、請求メールの発信者の電子メールアドレスである。
添付画像データ１９１ｃは、カメラで撮影した画像である。
【００２９】
図３の（ｂ）は、請求メールに含まれるデータの例である。
例示された請求メールに含まれるデータは、送信先アドレス１９１ａが、「aaa@dnp.jp」であって、送信元アドレス１９１ｂが、「zzz@*wxy.jp」であって、添付画像データ１９１ｃが、デジタル写真データである。
この例の意味は、デジタル写真データが添付された請求メールは、電子メールアドレス１９１ａが「zzz@*wxy.jp」の発信者から、電子メールアドレスが「aaa@dnp.jp」の宛先に送信された電子メールである、という意味である。
【００３０】
図４は、問合サーバ装置３００の詳細な構成図である。
問合サーバ装置３００は、ＣＰＵ３０１と、ネットワーク通信部３０５と、記憶部３０９と専用プログラムとを備える。
【００３１】
ＣＰＵ３０１は、中央演算処理装置である。
ネットワーク通信部３０５は、ＬＡＮアダプタである。記憶部３０９は、半導体メモリや磁気メモリである。
記憶部３０９は、チェックデータ３９１を記憶する。
チェックデータ３９１は、情報提供メールアドレスと画像識別情報とを対応付けたデータである。
記憶部３０９の不揮発領域は、専用プログラムを記憶する。
【００３２】
このほかに、照合要求手段３１０と、照合結果受信手段３２０と、判定手段３３０と、電子メール返信手段３４０と、を備える。これらの各手段は、それぞれの専用プログラムによって実現され、専用プログラムがＣＰＵ３０１に解釈・実行されることによって機能する。
【００３３】
照合要求手段３１０は、携帯端末装置１００が送信した請求メールを受信して、この請求メールに添付された撮影画像を含むデータベース検索クエリを構成して、これと問合せ番号を組み合わせて、画像認識サーバ装置４００に発行する。それと同時に、照合要求手段３１０は、電子メールの送信先アドレスと送信元アドレスをこの問合せ番号と関連付けて、記憶部３０９の所定の領域に記録する。
照合結果受信手段３２０は、画像認識サーバ装置４００が返信した問合せ番号を含む照合結果を受信する。
【００３４】
判定手段３３０は、照合結果受信手段３２０が受信した照合結果に含まれる画像識別情報を用いて記憶部３０９が記憶するチェックデータ３９１を参照して、対応付けられた情報提供メールアドレスを取得する。次に、判定手段３３０は、照合結果受信手段３２０が受信した照合結果に含まれる問合せ番号を用いて照合要求手段３１０により記憶部３０９の所定の領域に記録された送信先アドレスを参照して、関連付けられた送信先アドレスと送信元アドレスとを取得する。最後に、判定手段３３０は、取得した情報提供メールアドレスと送信先アドレスとを比較して、両者が一致するか否かを判定する。
【００３５】
電子メール返信手段３４０は、判定手段３３０の比較結果が一致すれば、照合結果受信手段が受信した照合結果からＵＲＬ（Ｕｎｉｆｏｒｍ  Ｒｅｓｏｕｒｃｅ  Ｌｏｃａｔｏｒの略）を取り出して、これを含む情報提供メールを作成して、判定手段３３０が取得した送信元アドレスに返信する。あるいは、電子メール返信手段３４０は、判定手段３３０の比較結果が不一致であれば、照合失敗情報を含んだ情報提供メールを作成して、作成した情報提供メールを判定手段３３０が取得した送信元アドレスに返信する。
【００３６】
図５は、チェックデータ３９１を説明する図である。
図５の（ａ）は、チェックデータ３９１の形式を説明する図である。
チェックデータ３９１は、情報提供メールアドレス３９１ａと画像識別情報３９１ｂとを対応付けたデータである。
情報提供メールアドレス３９１ａは、請求メール宛先の電子メールアドレスである。
画像識別情報３９１ｂは、画像ＩＤである。
【００３７】
図５の（ｂ）は、チェックデータ３９１の例である。
たとえば、例示されたチェックデータ３９１は、情報提供メールアドレス３９１ａが、「aaa@dnp.jp」であって、画像識別情報３９１ｂが、「00000001」である。
この例の意味は、画像ＩＤが「00000001」のときには、請求メール宛先の電子メールアドレスは、「aaa@dnp.jp」でなければならない、という意味である。
【００３８】
あるいは、例示されたチェックデータ３９１は、情報提供メールアドレス３９１ａが、「aaa@dnp.jp」であって、画像識別情報３９１ｂが、「00000002」である。
この例の意味は、画像ＩＤが「00000002」のときには、請求メール宛先の電子メールアドレスは、「aaa@dnp.jp」でなければならない、という意味である。
【００３９】
あるいは、例示されたチェックデータ３９１は、情報提供メールアドレス３９１ａが、「bbb@dnp.jp」であって、画像識別情報３９１ｂが、「00000010」である。
この例の意味は、画像ＩＤが「00000010」のときには、請求メール宛先の電子メールアドレスは、「bbb@dnp.jp」でなければならない、という意味である。
【００４０】
図６は、画像認識サーバ装置４００の詳細な構成図である。
画像認識サーバ装置４００は、ＣＰＵ４０１と、ネットワーク通信部４０５と、記憶部４０９と専用プログラムとを備える。
【００４１】
ＣＰＵ４０１は、中央演算処理装置である。
ネットワーク通信部４０５は、ＬＡＮ接続端子である。
記憶部４０９は、半導体メモリや磁気メモリである。
記憶部４０９は、画像特徴量データベース４９３を記憶する。
画像特徴量データベース４９３は、画像特徴量情報とＵＲＬと画像識別情報とを対応付けたデータを含むデータベースである。
【００４２】
このほかに、ＵＲＬ取得手段４１０と、照合結果返信手段４２０と、を備える。これらの各手段は、それぞれのアプリケーションプログラムによって実現され、アプリケーションプログラムがＣＰＵ４０１に解釈・実行されることによって機能する。
【００４３】
ＵＲＬ取得手段４１０は、問合せサーバ装置３００が発行したデータベース検索クエリと問合せ番号の組み合わせを受け付けて、これを用いて、記憶部４０９が記憶する特徴量データベース４９３を検索して、画像識別情報とＵＲＬを抽出する。
なお、抽出された画像識別情報とＵＲＬとは、データベース検索クエリに含まれる撮影画像の特徴量情報ともっとも類似度の高い画像特徴情報に対応づけられた画像識別情報とＵＲＬとである。
照合結果返信手段４２０は、ＵＲＬ取得手段４１０が受け付けた問合せ番号とＵＲＬ取得手段４１０が抽出した画像識別情報とＵＲＬとを含む照合結果を作成してこれを問合せサーバ装置３００に返信する。
【００４４】
なお、問合せサーバ装置３００にウェブサーバプログラム（たとえば、Ａｐａｃｈｅなど）を用い、ウェブサーバプログラムから呼び出されるプログラムが画像検索サーバ装置３００に対して、リクエスト（＝データベース検索クエリなど）を発行し、そのプログラムがリクエストの回答を受け取るまで待つような形で、照合要求手段３１０、照合結果受信手段３２０をひとつにまとめた形のプログラムモジュールとして実装するときには、かならずしも問合せ番号を用いる必要はない。
なぜならば、この場合には、複数の利用者から同時に複数の請求メールを受けた場合、各請求メールごとにデータベース検索クエリを発行するプロセスが発生し、問い合わせサーバ装置３００上での実行環境により、画像検索サーバ装置３００からのリクエストの回答がリクエストを発行したプロセスに届けられるからである。
【００４５】
図７は、照合結果４９１を説明する図である。
図７の（ａ）は、照合結果４９１の形式を説明する図である。
照合結果４９１は、画像識別情報４９１ａとＵＲＬ４９１ｂと電子メール文４９１ｃを含んで構成される。
画像識別情報４９１ａは、画像ＩＤである。
ＵＲＬ４９１ｂは、携帯用ＷＥＢサイト上の情報資源の所在を示す記述である。
電子メール文４９１ｃは、情報提供メールに記載する文字列である。
【００４６】
図７の（ｂ）は、照合結果４９１の例である。
例示された照合結果４９１は、画像識別情報４９１ａが、「00000001」であって、ＵＲＬ４９１ｂが、「http://abc.jp/index.html」であって、電子メール文４９１ｃが、「キャンペーンに参加される方は、携帯サイトにアクセスください。」である。
この例の意味は、撮影画像を検索キーにて検索した照合結果４９１は、画像ＩＤが「00000001」で、ＵＲＬが「http://abc.jp/index.html」で、電子メール文４９１ｃが、「キャンペーンに参加される方は、携帯サイトにアクセスください。」である、という意味である。
【００４７】
図８は、比較結果が一致する場合の判定処理の手順を図解したものである。
判定手段３３０は、照合結果に含まれる画像ＩＤ４９１ａ「00000003」を用いて、チェックデータの画像ＩＤ３９１ｂを参照して、両者が位置するときの情報提供メールアドレス３９１ａ「aaa@dnp.jp」を取得する（図８（１））。
判定手段３３０は、取得した情報提供メールアドレス３９１ａ「aaa@dnp.jp」と、請求メールの送信先アドレス１９１ａ「aaa@dnp.jp」とを比較して、両者が一致すること判定する（同（２））。
なお、判定手段３３０の比較結果が一致しているので、電子メール返信手段３４０は、電子メール文４９１ｃ「キャンペーンに参加される方は、携帯サイトにアクセスください。」とＵＲＬ「http://abc.jp/index.html」を有する情報提供メールを請求メールの送信元アドレス１９１ｂ「zzz@*wxy.jp」に返信する。
【００４８】
図９は、比較結果が不一致な場合の判定処理の手順を図解したものである。
判定手段３３０は、照合結果に含まれる画像ＩＤ４９１ａ「00000011」を用いて、チェックデータの画像ＩＤ３９１ｂを参照して、両者が位置するときの情報提供メールアドレス３９１ａ「bbb@dnp.jp」を取得する（図９（１））。
判定手段３３０は、取得した情報提供メールアドレス３９１ａ「bbb@dnp.jp」と、請求メールの送信先アドレス１９１ａ「aaa@dnp.jp」とを比較して、両者が一致しないこと判定する（同（２））。
なお、判定手段３３０の比較結果が不一致であるので、電子メール返信手段３４０は、たとえば、電子メール文４９１ｃ「撮影画像の照合に失敗しました。」を有する情報提供メールを請求メールの送信元アドレス１９１ｂ「zzz@*wxy.jp」に返信する。
【００４９】
このように、照合結果がキャンペーンと無関係なＵＲＬに誤っていた場合には、誤った情報を携帯電話に知らせることを未然意防ぐことができる。
【図面の簡単な説明】
【００５０】
【図１】本発明による情報提供システム１の概要を説明する図
【図２】携帯端末装置１００の詳細な構成図
【図３】請求メールに含まれるデータの説明図
【図４】問合サーバ装置３００の詳細な構成図
【図５】チェックデータ３９１を説明する図
【図６】画像認識サーバ装置４００の詳細な構成図
【図７】照合結果４９１を説明する図
【図８】比較結果が一致する場合の判定処理手順の図解
【図９】比較結果が不一致な場合の判定処理手順の図解
【符号の説明】
【００５１】
１  情報提供システム
１００  携帯端末装置
１１０  電子メール送信手段
１２０  電子メール受信手段
１３０  メール表示手段
１４０  携帯ＷＥＢブラウザ
１９１  請求メール
１９１ａ  送信先アドレス
１９１ｂ  送信元アドレス
１９１ｃ  添付画像データ
２００  メール・サーバ装置
２００ａ／２００ｂ  メール・サーバ装置
３００  問合サーバ装置
３１０  照合要求手段
３２０  照合結果受信手段
３３０  判定手段
３４０  電子メール返信手段
３９１  チェックデータ
３９１ａ  情報提供メールアドレス
３９１ｂ  画像識別情報、画像ＩＤ
４００  画像認識サーバ装置
４１０  ＵＲＬ取得手段
４２０  照合結果返信手段
４９１  照合結果
４９１ａ  画像識別情報、画像ＩＤ
４９１ｂ  ＵＲＬ
４９１ｃ  電子メール文
５００  携帯ＷＥＢサーバ装置
【図１】
0005067216.tif 000002
【図２】
0005067216.tif 000003
【図３】
0005067216.tif 000004
【図４】
0005067216.tif 000005
【図５】
0005067216.tif 000006
【図６】
0005067216.tif 000007
【図７】
0005067216.tif 000008
【図８】
0005067216.tif 000009
【図９】
0005067216.tif 000010